【事件の表示】
　特願２００１−１０７９０４「低消費電力発振回路」拒絶査定不服審判事件〔平成１４年１０月１８日出願公開、特開２００２−３０５４４３〕について、次のとおり審決する。
【結　論】
　本件審判の請求は、成り立たない。
【理　由】
１．手続の経緯・本願発明
　本願は、平成１３年４月６日の出願であって、平成２１年１１月３０日付けで拒絶理由通知がなされ、平成２２年１月２６日付けで手続補正がなされたが、同年３月１０日付けで拒絶査定がなされ、これに対し、同年６月２日付けで拒絶査定不服審判の請求がなされ、その後、当審において平成２４年３月１９日付けで拒絶理由通知がなされ、それに対し、同年５月１６日付けで手続補正がなされたものであり、その請求項１に係る発明は、平成２４年５月１６日付け手続補正書によって補正された特許請求の範囲の請求項１に記載されたとおりの次のものと認める。（以下、「本願発明」という。）
「第１の発振信号を出力する第１の発振器と、
　上記第１の発振信号よりも高精度の第２の発振信号を出力する第２の発振器と、
　上記第１の発振信号を設定された分周値で分周して所定の周波数を有する出力信号を出力する分周器と、
　上記第１の発振信号と上記第２の発振信号と分周設定値とに基づいて上記分周器の分周値を設定する分周値設定回路と、
　上記第２の発振器と上記分周値設定回路の電力消費が間欠的になるように上記第２の発振器と上記分周値設定回路との動作を制御する制御回路と、
　を有し、
　上記制御回路の制御により上記第２の発振器と上記分周値設定回路とが間欠的に動作して上記分周器から出力される出力信号の周波数が一定に制御され、
　上記出力信号の周波数ＦがＦ＝ｇ／Ｓで定義され、ｇが上記第２の発振信号の周波数であり、Ｓが上記分周設定値である、
　低消費電力発振回路。」
　
２．引用例
　これに対して、当審において平成２４年３月１９日付けで通知した拒絶の理由に引用した特開昭５６−１６９９４０号公報（以下、「引用例１」という。）、及び特開平１１−３３８５７２号公報（以下、「引用例２」という。）には、それぞれ、図面とともに次の事項が記載されている。
　
（引用例１）
Ａ．「本発明は時計などに用いられる基準パルス発生回路に関するものである。
　例えば、水晶発振回路は発振周波数が高い程周波数安定度が向上するが、それにつれて消費電流が増大するものであるため、安定度を追求すれば消費電流が増え、消費電流を少なくしようとすれば安定度が低下してしまうものである。
　そこで本発明は低消費電流で周波数安定度の良好な基準パルスが得られる基準パルス発生回路を提供するものである。」（第１頁右下欄第１〜１０行）
　
Ｂ．「以下本発明の一実施例を図面に基づいて説明する。Ｑ１は第１の発振回路で、例えば数１０ＫＨｚの水晶発振回路で、Ｐはこれを具備したパルス発生回路である。
　Ｑ２は第２の発振回路で、数ＭＨｚの水晶発振回路、Ｄ１〜Ｄ３は分周回路で、分周回路Ｄ１からは目標周波数より高い周波数のパルスが生じるように設定してあり、分周回路Ｄ３の出力周波数は分周回路Ｄ１の出力周波数より高い値に設定してある。Ａは分周回路Ｄ１および分周回路Ｄ３の出力周波数の差を計測する計測回路、ＤＴはデータ変換回路で、計測回路ＤＴ（審決注：この「計測回路ＤＴ」との記載は「計測回路Ａ」の誤記と認められる。）からの差の周波数をデジタルデータに変換するもので、これらによって検出回路を構成するものである。Ｌは記憶回路を構成するラッチ回路、Ｂはいわゆる論理緩急を行なうための補正回路、Ｇはゲート回路、Ｔは制御回路を構成するタイミングパルス発生回路である。」（第１頁右下欄第１１行〜第２頁左上欄第８行）
　
Ｃ．「つぎに動作について説明する。
　水晶発振回路Ｑ１は常時動作しており、その出力は分周回路Ｄ１によって分周された後ゲート回路に供給され、以下で詳述する論理緩急動作によって適宜、パルスが間引きされて目標周波数に調整され、分周回路Ｄ２に供給される。一方、水晶発振回路Ｑ２は通常は動作しておらず、タイミングパルス発生回路Ｔが分周回路Ｄ２の出力を受けて一定時間ごとに短時間幅の、例えば１時間ごとに１０秒幅のパルスが発生し、この発生中のみ水晶発振回路Ｑ２が動作する。この発振出力は分周回路Ｄ３によって分周された後計測回路Ａに供給され、水晶発振回路Ｑ１の出力周波数との差がとられる。分周回路Ｄ３の出力周波数は分周回路Ｄ１の出力周波数より高い値に設定してあるため両者の大小比較は行なう必要がない。計測回路Ａからの差の周波数はデータ変換回路ＤＴに供給され、所望のデータに変換される。データ変換回路ＤＴでは、水晶発振回路Ｑ１の出力周波数の変動に伴う上記差の周波数の常温における変動範囲内において、この差の周波数を複数段階に分割し、各段階に対応したデータを予めプログラムしてある。計測回路Ａからの差の周波数に対応したデータがデータ変換回路ＤＴから選択され、ラッチ回路Ｌに供給される。そしてタイミングパルス発生回路Ｔの端子ｔからパルスが発生して上記データがラッチ回路Ｌにラッチされ、１時間後に再び水晶発振回路Ｑ２が動作するまでラッチ回路Ｌのデータは書き換えられない。このデータと分周回路Ｄ２の出力パルスとを受けて補正回路Ｂからは、上記データに対応した周期でパルスが生じ、このパルスによって分周回路Ｄ１からの出力パルスが間引きされ、目標周波数に調整されて分周回路Ｄ２に供給される。
　したがって、ゲート回路Ｇから生じる出力周波数の安定度は水晶発振回路Ｑ２の安定度にかかり、安定した周波数出力が得られ、しかも常時動作している水晶発振回路Ｑ１は低周波数であるため、消費電流が少なくてすむ。」（第２頁左上欄第９行〜左下欄第７行）
　
　上記Ａ．〜Ｃ．の記載及び関連する図面を参照すると、引用例１には、次の発明が記載されていると認められる。（以下、「引用例１記載の発明」という。）
「第１の発振出力を出力する第１の発振回路Ｑ１と、 
　上記第１の発振出力よりも周波数安定度が高い第２の発振出力を出力する第２の発振回路Ｑ２と、 
　上記第１の発振出力を分周回路Ｄ１によって分周し、該分周回路Ｄ１からの出力パルスをゲート回路Ｇによって間引くことによって、調整された所定の周波数を有する出力信号を出力する、分周回路Ｄ１，ゲート回路Ｇよりなる回路と、
　上記第１の発振出力と上記第２の発振出力とに基づいて、上記分周回路Ｄ１，ゲート回路Ｇよりなる回路におけるパルスの間引き量を設定する、計測回路Ａ，データ変換回路ＤＴ，ラッチ回路Ｌ，補正回路Ｂよりなる回路と、 
　上記第２の発振回路Ｑ２の電力消費が間欠的になるように上記第２の発振回路Ｑ２の動作を制御するタイミングパルス発生回路Ｔと、 
　を有し、 
　上記タイミングパルス発生回路Ｔの制御により上記第２の発振回路Ｑ２が間欠的に動作して上記分周回路Ｄ１，ゲート回路Ｇよりなる回路から出力される出力信号の周波数が目標周波数に調整される、
　基準パルス発生回路。」 
　
（引用例２）
Ｄ．「【００５４】実施の形態６．この発明の実施の形態６に係るクロック生成器について図面を参照しながら説明する。図１０は、この発明の実施の形態６に係るクロック生成器のリングオシレータの構成を示す図である。
【００５５】上記の実施の形態１におけるリングオシレータ３の代わりに、この実施の形態６では図１０で示されるリングオシレータ３Ｄに置き換えた構成とする。このリングオシレータ３Ｄは、ＡＮＤ回路３２と、奇数個のインバータ３３と、出力インバータ３４と、可変分周器３７とから構成される。
【００５６】次に、この実施の形態６の動作について説明する。周波数比較器２によりリングオシレータ発振周波数補正指示値ｖ１を出力するところまでは実施の形態１と同様である。リングオシレータ３Ｄ内の可変分周器３７は、周波数比較器２から出力ｖ１により指定された分周比にて出力インバータ３４の出力を分周することにより、高速クロックｃｌｋ２の周波数を補正する。これにより、リングオシレータ３Ｄは、周波数補正された高速クロックｃｌｋ２を出力する。以降の動作は、実施の形態１と同様である。」
　
３．対比
　本願発明と引用例１記載の発明とを対比すると、次のことがいえる。
　
（あ）引用例１記載の発明における「第１の発振出力」、「第１の発振回路Ｑ１」、「周波数安定度が高い第２の発振出力」、「第２の発振回路Ｑ２」は、それぞれ、本願発明における「第１の発振信号」、「第１の発振器」、「高精度の第２の発振信号」、「第２の発振器」に相当する。
　
（い）引用例１記載の発明において、「分周回路Ｄ１，ゲート回路Ｇよりなる回路」は、全体として「分周器」を構成しているともいうことができる。
　よって、本願発明における「第１の発振信号を設定された分周値で分周して所定の周波数を有する出力信号を出力する分周器」と、引用例１記載の発明における「第１の発振出力を分周回路Ｄ１によって分周し、該分周回路Ｄ１からの出力パルスをゲート回路Ｇによって間引くことによって、調整された所定の周波数を有する出力信号を出力する、分周回路Ｄ１，ゲート回路Ｇよりなる回路」とは、「第１の発振信号を分周して所定の周波数を有する出力信号を出力する分周器」である点において共通する構成である。
　
（う）本願発明における「第１の発振信号と第２の発振信号と分周設定値とに基づいて分周器の分周値を設定する分周値設定回路」と、引用例１記載の発明における「第１の発振出力と第２の発振出力とに基づいて、分周回路Ｄ１，ゲート回路Ｇよりなる回路におけるパルスの間引き量を設定する、計測回路Ａ，データ変換回路ＤＴ，ラッチ回路Ｌ，補正回路Ｂよりなる回路」とは、「第１の発振信号と第２の発振信号に基づいて分周器の分周値を調整する分周値調整回路」である点において共通するということができる。
　
（え）本願発明における「第２の発振器と分周値設定回路の電力消費が間欠的になるように上記第２の発振器と上記分周値設定回路との動作を制御する制御回路」と、引用例１記載の発明における「第２の発振回路Ｑ２の電力消費が間欠的になるように上記第２の発振回路Ｑ２の動作を制御するタイミングパルス発生回路Ｔ」とは、少なくとも「第２の発振器の電力消費が間欠的になるように上記第２の発振器の動作を制御する制御回路」である点において共通するということができる。
　
（お）本願発明において「制御回路の制御により第２の発振器と分周値設定回路とが間欠的に動作して分周器から出力される出力信号の周波数が一定に制御され」ることと、引用例１記載の発明において「タイミングパルス発生回路Ｔの制御により第２の発振回路Ｑ２が間欠的に動作して記分周回路Ｄ１，ゲート回路Ｇよりなる回路から出力される出力信号の周波数が目標周波数に調整される」ことは、少なくとも「制御回路の制御により第２の発振器が間欠的に動作して分周器から出力される出力信号の周波数が一定に制御され」ることにおいて共通するということができる。
　
（か）引用例１の上記Ａ．に「本発明は低消費電流で周波数安定度の良好な基準パルスが得られる基準パルス発生回路を提供するものである。」とあるように、引用例１記載の発明における「基準パルス発生回路」は、「低消費電流」で動作するものであり、「低消費電力発振回路」と呼び得るものである。
　
　上記（あ）〜（か）の事項を踏まえると、本願発明と引用例１記載の発明とは、
「第１の発振信号を出力する第１の発振器と、
　上記第１の発振信号よりも高精度の第２の発振信号を出力する第２の発振器と、
　上記第１の発振信号を分周して所定の周波数を有する出力信号を出力する分周器と、
　上記第１の発振信号と上記第２の発振信号に基づいて上記分周器の分周値を調整する分周値調整回路と、
　上記第２の発振器の電力消費が間欠的になるように上記第２の発振器の動作を制御する制御回路と、
　を有し、
　上記制御回路の制御により上記第２の発振器が間欠的に動作して上記分周器から出力される出力信号の周波数が一定に制御される、
　低消費電力発振回路。」
である点で一致し、次の点で相違するものと認められる。
　
（相違点）
　相違点１：「第１の発振信号を分周して所定の周波数を有する出力信号を出力する分周器」が、本願発明においては、「第１の発振信号を設定された分周値で分周して所定の周波数を有する出力信号を出力する分周器」であるのに対し、引用例１記載の発明においては、「第１の発振出力を分周回路Ｄ１によって分周し、該分周回路Ｄ１からの出力パルスをゲート回路Ｇによって間引くことによって、調整された所定の周波数を有する出力信号を出力する、分周回路Ｄ１，ゲート回路Ｇよりなる回路」である点。
　
　相違点２：「第１の発振信号と第２の発振信号に基づいて分周器の分周値を調整する分周値調整回路」が、本願発明においては、「第１の発振信号と第２の発振信号と分周設定値とに基づいて分周器の分周値を設定する分周値設定回路」であるとともに、「出力信号の周波数ＦがＦ＝ｇ／Ｓで定義され、ｇが上記第２の発振信号の周波数であり、Ｓが上記分周設定値である」とされているのに対し、引用例１記載の発明においては、「第１の発振出力と第２の発振出力とに基づいて、分周回路Ｄ１，ゲート回路Ｇよりなる回路におけるパルスの間引き量を設定する、計測回路Ａ，データ変換回路ＤＴ，ラッチ回路Ｌ，補正回路Ｂよりなる回路」である点。
　
　相違点３：本願発明における「制御回路」は、「第２の発振器」のみならず「分周値設定回路」の電力消費も間欠的になるように動作制御しているのに対し、引用発明における「タイミングパルス発生回路Ｔ」は、「第２の発振回路Ｑ２」の電力消費が間欠的になるように制御しているものの、「計測回路Ａ，データ変換回路ＤＴ，ラッチ回路Ｌ，補正回路Ｂよりなる回路」の電力消費が間欠的になるように制御しているとはされていない点。
　
４．当審の判断
　そこで、上記相違点１〜３について検討する。
　
（相違点１について） 
　引用例１記載の発明においては、「分周回路Ｄ１，ゲート回路Ｇよりなる回路」における「ゲート回路Ｇ」でのパルスの間引き量が調整されることによって、「分周回路Ｄ１，ゲート回路Ｇよりなる回路」の分周値が調整されるようになっている。 
　ここで、「分周器」の分周値の調整を具体的にどのように行うかは、当業者が適宜に設計できる事項であり、引用例２の上記Ｄ．の記載によれば、「指定された分周比」に基づいて「可変分周器」の分周値を調整するようにすることも、公知の技術である。 
　してみれば、引用例１記載の発明に対して上記公知の技術を適用することにより、引用例１記載の発明における「分周回路Ｄ１，ゲート回路Ｇよりなる回路」を一つの「分周器」の構成として「指定（設定）された分周比（分周値）」に基づいて分周値を調整するようにすること、すなわち、「第１の発振信号を設定された分周値で分周して所定の周波数を有する出力信号を出力する分周器」とすることは、当業者が適宜になし得ることである。
　
（相違点２について）
　上記「相違点１について」で述べたように、「分周器」において、「指定（設定）された分周比（分周値）」に基づいて「可変分周器」の分周値を調整するようにすることは、公知の技術である。
　一方、引用例１記載の発明において、「分周回路Ｄ１，ゲート回路Ｇよりなる回路」における「パルスの間引き量」を設定することは、上記「分周回路Ｄ１，ゲート回路Ｇよりなる回路」全体の「分周値」を設定することと実質的に等価な事項である。
　ここで、上記「パルスの間引き量」をどのように設定するかについて、以下に検討する。
　上記「パルスの間引き量」は、「第２の発振回路Ｑ２」よりも周波数変動の大きい「第１の発振回路Ｑ１」の出力が上記「分周回路Ｄ１，ゲート回路Ｇよりなる回路」を通った後に一定周波数になるような値に設定するものであるところ、その一定周波数をＦ、「第１の発振回路Ｑ１」の変動する出力周波数をｆ、「分周回路Ｄ１，ゲート回路Ｇよりなる回路」全体の「分周値」をＮとした場合、Ｆ＝ｆ／Ｎで表されるのであるから、ｆが変動してもＦが一定となるＮの値になるように上記「パルスの間引き量」を設定することを引用例１記載の発明において行っているといえる。
　一方、「第２の発振回路Ｑ２」の出力周波数をｇとした場合、ｇは実質的に一定であるから、上記のように、Ｆが一定となるＮの値になるように上記「パルスの間引き量」を設定する場合には、ｇ／Ｆも一定となる。よって、その一定値ｇ／Ｆ＝Ｓとすれば、Ｆ＝ｇ／Ｓとなり、「Ｆ＝ｆ／Ｎ」、「Ｆ＝ｇ／Ｓ」という２つの式から、ｆ／Ｎ＝ｇ／Ｓ、すなわち、Ｎ＝Ｓ・ｆ／ｇとすることと実質的に等価なことを引用例１記載の発明においては上記「パルスの間引き量」を設定することによって行っているといえる。
　なお、上記「Ｓ」は、Ｆ＝ｇ／Ｓであることから、「第２の発振回路Ｑ２」の出力周波数「ｇ」を分周して一定出力周波数「Ｆ」を得る場合の「分周設定値」と称することのできる値である。
　よって、以上の事項を参酌すると、引用例１記載の発明における「計測回路Ａ，データ変換回路ＤＴ，ラッチ回路Ｌ，補正回路Ｂよりなる回路（第１の発振信号と第２の発振信号に基づいて分周器の分周値を調整する分周値調整回路）」を、「第１の発振信号と第２の発振信号と分周設定値とに基づいて分周器の分周値を設定する分周値設定回路」とするとともに、「出力信号の周波数ＦがＦ＝ｇ／Ｓで定義され、ｇが上記第２の発振信号の周波数であり、Ｓが上記分周設定値である」とすることは、当業者が適宜になし得ることである。
　
（相違点３について）
　引用例１記載の発明においては、特に「第２の発振回路Ｑ２」の消費電流が高いことに着目して「第２の発振回路Ｑ２」の電力消費が間欠的になるように制御しているが、該「第２の発振回路Ｑ２」が動作していないときには該第２の発振回路Ｑ２の出力は存在しないのであるから、その出力を用いる「計測回路Ａ，データ変換回路ＤＴ，ラッチ回路Ｌ，補正回路Ｂよりなる回路」をも電力消費させないようにしてさらなる消費電流の削減を図ることは、当業者が容易に想到し得ることである。 
　そして、上記「相違点２について」で検討したように、引用例１記載の発明における「計測回路Ａ，データ変換回路ＤＴ，ラッチ回路Ｌ，補正回路Ｂよりなる回路」を「第１の発振信号と第２の発振信号と分周設定値とに基づいて分周器の分周値を設定する分周値設定回路」とすることは、当業者が適宜になし得ることであるから、該「分周値設定回路」の電力消費も間欠的になるように動作制御すべく「制御回路」を構成することは、当業者が容易に想到し得ることである。 
 　 
（本願発明の作用効果について）
　そして、本願発明の構成によってもたらされる効果も、引用例１記載の発明及び引用例２記載の公知の技術から当業者が容易に予測することができる程度のものであって、格別のものとはいえない。
　
５．むすび
　以上のとおり、本願発明は、引用例１記載の発明及び引用例２記載の公知の技術に基いて、当業者が容易に発明をすることができたものであるから、特許法第２９条第２項の規定により特許を受けることができない。
　したがって、本願は、他の請求項について検討するまでもなく、拒絶されるべきものである。
　よって、結論のとおり審決する。